(57)【特許請求の範囲】
【請求項１】
機器と、
該機器の正常な作動状態に関する情報である正常作動状態情報を記録可能な正常作動状態情報記録部と、前記機器の作動状態を検知可能な検知部と、該検知部が機器の作動状態を検知して得られた検知結果情報と、前記正常作動状態情報記録部が記録した正常作動状態情報とを対比して、同検知結果情報が同正常作動状態情報と異なるか否かを判定可能な判定部と、該判定部が、前記検知結果情報は前記正常作動状態情報と異なると判定した場合、同検知結果情報が同正常作動状態情報と異なることを示す異常情報を、同検知結果情報と共に通信回線を介して通知可能な通知部とを有する監視器と、
前記通知部が通知した前記異常情報および前記検知結果情報を受信可能な受信部と、該受信部が受信した前記異常情報および前記検知結果情報を記録可能な機器情報記録部とを有するサーバとを備え、
前記機器は自動販売機であり、
前記サーバは、前記機器が販売する商品の画像を記録可能な商品画像記録部と、該商品画像記録部が記録した商品画像を、通信回線を介して前記機器へ送信可能な商品画像送信部とを有し、
前記機器は、情報を表示可能な表示部と、所定の端末が同機器から所定の範囲内に位置した場合、前記サーバに商品画像の送信を要求可能であり、かつ、同要求に従って前記サーバから送信された新たな商品画像を前記表示部に表示させる制御が可能な商品画像制御部とを有する
機器監視システム。
【請求項２】
前記検知結果情報は検知された温度に関する情報であり、
前記監視器は、前記判定部が、検知された温度に関する情報は前記正常作動状態情報と異なると判定した場合、前記機器の電源を切る制御が可能な電源制御部を有する
請求項１に記載の機器監視システム。
【請求項３】
前記サーバは、前記機器を操作するための信号である操作信号を同機器へ送信可能な操作信号送信部を有し、
前記機器は、前記サーバから送信された操作信号に基づいて同機器を操作する制御が可能な操作制御部を有する
請求項２に記載の機器監視システム。
【請求項４】
前記サーバは、広告情報を記録可能な広告情報記録部と、該広告情報記録部が記録した広告情報を、通信回線を介して前記機器へ送信可能な広告情報送信部とを有し、
前記機器は、所定の期間ごとに前記サーバに広告情報の送信を要求可能であり、かつ、同要求に従って前記サーバから送信された新たな広告情報を前記表示部に表示させる制御が可能な広告情報制御部とを有する
請求項１に記載の機器監視システム。
【請求項５】
前記表示部は、着脱可能な液晶パネルである
請求項１または請求項４に記載の機器監視システム。
【発明の詳細な説明】
【技術分野】
【０００１】
本発明は機器監視システムに関する。詳しくは、例えば自動販売機やデジタルサイネージの監視を行うための機器監視システムに係るものである。
【背景技術】
【０００２】
飲料や食品の自動販売機は、消費者に身近な飲食機会を提供するために、広く社会に定着しており、数多くの場所に設置されている。
【０００３】
一般的な自動販売機は、前方に開口部が形成された本体と、この開口部を開閉する外扉とを備えている。
また、外扉の前面上部には、透明な前面パネルが取付けられている。
【０００４】
また、前面パネルから所定の距離離れて背面パネルが配置され、前面パネルと背面パネルとの間に商品見本展示室と呼ばれる空間が形成されている。
【０００５】
この商品見本展示室は、消費者が最も目視する空間であるため、飲料や食品を販売する自動販売機にとって、商品見本展示室内を清潔に保つことが必要となっている。
【０００６】
しかし、商品見本展示室内には埃が蓄積してしまうため、定期的な清掃作業が必要であり、例えば、特許文献１に記載されているような、清掃作業が容易である自動販売機の商品見本展示装置が提案されている。
【０００７】
すなわち、特許文献１に記載の商品見本展示装置の特徴点は図４に示すディスプレイ台１３０である。
ここで、ディスプレイ台１３０は、薄板鋼板製の商品載置台１４０と、左右一対のブラケット１５０とを有する。
また、ブラケット１５０は、商品載置台１４０を支持する腕木として機能し、ブラケット１５０が商品見本展示室の内扉に係止固定される。
【０００８】
また、商品載置台１４０は、商品見本が嵌合係止される複数の嵌合穴１４１Ａが形成されたステージ状の天井壁１４１と、天井壁１４１の両端から下方に延在する左右の側壁１４２と、天井壁１４１の前後端から下方に延在する前面壁１４３および図示していない後面壁により、下面が開放した長手方向を有する箱形に形成されている。
【０００９】
また、商品載置台１４０の前面壁１４３には、商品見本の冷温パターン１７１および商品価格を表す価格パターン１８１を表示する商品情報表示部材１６０が着脱可能に係止保持されている。
【００１０】
清掃作業が煩雑であった商品情報表示部材１６０をディスプレイ台１３０に係止保持することにより、外扉を開放して商品情報表示部材１６０を前面パネルから離隔させることができ、清掃作業を著しく効率的に行なうことができる。
【先行技術文献】
【特許文献】
【００１１】
【特許文献１】特開２０１２‐１１３３４０号公報
【発明の概要】
【発明が解決しようとする課題】
【００１２】
ところで、特許文献１に記載の商品見本展示装置は清掃作業が容易なものであるが、商品見本展示室内の清掃が必要か否かを判断するために、自動販売機の管理者は、自動販売機が設置された場所に来て目視する必要があり、管理者の監視作業の負担は大きかった。
【００１３】
本発明は、以上の点に鑑みて創案されたものであり、機器の監視作業の負担を軽減できる機器監視システムを提供することを目的とする。
【課題を解決するための手段】
【００１４】
上記の目的を達成するために、本発明の機器監視システムは、機器と、該機器の正常な作動状態に関する情報である正常作動状態情報を記録可能な正常作動状態情報記録部と、前記機器の作動状態を検知可能な検知部と、該検知部が機器の作動状態を検知して得られた検知結果情報と、前記正常作動状態情報記録部が記録した正常作動状態情報とを対比して、同検知結果情報が同正常作動状態情報と異なるか否かを判定可能な判定部と、該判定部が、前記検知結果情報は前記正常作動状態情報と異なると判定した場合、同検知結果情報が同正常作動状態情報と異なることを示す異常情報を、同検知結果情報と共に通信回線を介して通知可能な通知部とを有する監視器と、前記通知部が通知した前記異常情報および前記検知結果情報を受信可能な受信部と、該受信部が受信した前記異常情報および前記検知結果情報を記録可能な機器情報記録部とを有するサーバとを備える。
【００１５】
ここで、機器の作動状態を検知可能な検知部によって、作動中の機器の実際の情報を得ることができる。
また、検知部が機器の作動状態を検知して得られた検知結果情報と、正常作動状態情報記録部が記録した正常作動状態情報とを対比して、検知結果情報が正常作動状態情報と異なるか否かを判定可能な判定部および、判定部が、検知結果情報は正常作動状態情報と異なると判定した場合、検知結果情報が正常作動状態情報と異なることを示す異常情報を、検知結果情報と共に通信回線を介して通知可能な通知部によって、機器の管理者は、機器から離れた位置に居ながら作動中の機器が正常か異常かを知ることができる。
【００１６】
また、本発明の機器監視システムにおいて、検知結果情報は検知された温度に関する情報であり、監視器は、判定部が、検知された温度に関する情報は正常作動状態情報と異なると判定した場合、機器の電源を切る制御が可能な電源制御部を有するものとすることができる。
【００１７】
この場合、機器の管理者が操作しなくても機器の温度を低下させることができ、機器の故障を抑制しやすい。
【００１８】
また、本発明の機器監視システムにおいて、サーバは、機器を操作するための信号である操作信号を機器へ送信可能な操作信号送信部を有し、機器は、サーバから送信された操作信号に基づいて機器を操作する制御が可能な操作制御部を有するものとすることができる。
【００１９】
この場合、機器の管理者は、機器の遠隔操作を行うことができる。
【００２０】
また、本発明の機器監視システムにおいて、機器は自動販売機であり、サーバは、機器が販売する商品の画像を記録可能な商品画像記録部と、商品画像記録部が記録した商品画像を、通信回線を介して機器へ送信可能な商品画像送信部とを有し、機器は、情報を表示可能な表示部と、所定の端末が機器から所定の範囲内に位置した場合、サーバに商品画像の送信を要求可能であり、かつ、この要求に従ってサーバから送信された新たな商品画像を表示部に表示させる制御が可能な商品画像制御部とを有するものとすることができる。
【００２１】
この場合、自動販売機に商品を補充したり、商品を入れ替えたりするために、作業者が所定の端末を携帯して自動販売機に近づくだけで、商品画像を更新することができる。
【００２２】
また、本発明の機器監視システムにおいて、サーバは、広告情報を記録可能な広告情報記録部と、広告情報記録部が記録した広告情報を、通信回線を介して機器へ送信可能な広告情報送信部とを有し、機器は、所定の期間ごとにサーバに広告情報の送信を要求可能であり、かつ、この要求に従ってサーバから送信された新たな広告情報を表示部に表示させる制御が可能な広告情報制御部とを有するものとすることができる。
【００２３】
この場合、作業者による商品の補充作業や入れ替え作業に関係なく、季節に合わせた広告を表示することができる。
【００２４】
また、本発明の機器監視システムにおいて、表示部は、着脱可能な液晶パネルであるものとすることができる。
【００２５】
この場合、表示部が異常な状態になっても、新たな液晶パネルに取替えることができる。
【００２６】
また、上記の目的を達成するために、本発明の監視器は、機器の正常な作動状態に関する情報である正常作動状態情報を記録可能な正常作動状態情報記録部と、機器の作動状態を検知可能な検知部と、該検知部が機器の作動状態を検知して得られた検知結果情報と、前記正常作動状態情報記録部が記録した正常作動状態情報とを対比して、同検知結果情報が同正常作動状態情報と異なるか否かを判定可能な判定部と、該判定部が、前記検知結果情報は前記正常作動状態情報と異なると判定した場合、同検知結果情報が同正常作動状態情報と異なることを示す異常情報を、同検知結果情報と共に通信回線を介して通知可能な通知部とを備える。
【００２７】
ここで、機器の作動状態を検知可能な検知部によって、作動中の機器の実際の情報を得ることができる。
また、検知部が機器の作動状態を検知して得られた検知結果情報と、正常作動状態情報記録部が記録した正常作動状態情報とを対比して、検知結果情報が正常作動状態情報と異なるか否かを判定可能な判定部および、判定部が、検知結果情報は正常作動状態情報と異なると判定した場合、検知結果情報が正常作動状態情報と異なることを示す異常情報を、検知結果情報と共に通信回線を介して通知可能な通知部によって、機器の管理者は、機器から離れた位置に居ながら作動中の機器が正常か異常かを知ることができる。
【発明の効果】
【００２８】
本発明に係る機器監視システムは、機器の監視作業の負担を軽減できる。
【図面の簡単な説明】
【００２９】
【図１】本発明を適用した自動販売機監視システムの構成の一例を示す概略図である。
【図２】本発明を適用した自動販売機監視システムおよび本発明を適用した監視器で監視される自動販売機の一例を示す概略図である。
【図３】図２で示された自動販売機の外扉を開いた状態の一例を示す概略図である。
【図４】従来の商品見本展示装置のディスプレイ台を示す概略図である。
【発明を実施するための形態】
【００３０】
以下、本発明の実施の形態について図面を参照しながら説明し、本発明の理解に供する。
図１は、本発明を適用した自動販売機監視システムの構成の一例を示す概略図である。
【００３１】
図１に示す本発明の自動販売機監視システム１は、監視対象である自動販売機２と、自動販売機２に取付けられた本発明の監視器３と、自動販売機２および監視器３とインターネット２３を介して通信可能なサーバ４とを備える。
【００３２】
ここで、自動販売機は機器の一例であり、例えばデジタルサイネージを監視対象の機器とすることもできる。
また、インターネットは通信回線の一例である。
【００３３】
また、本発明の監視器３は、自動販売機２の正常な作動状態に関する情報である正常作動状態情報を記録可能な正常作動状態情報データベース５を有する。
ここで、正常作動状態情報データベースは、正常作動状態情報記録部の一例である。
【００３４】
また、本発明の監視器３は、自動販売機２の作動状態を検知可能な検知部６を有する。
検知部６としては、具体的には例えば、温度を検知可能な温度センサー、輝度を検知可能な輝度センサー、電圧を検知可能な電圧センサー、電流を検知可能な電流センサー、湿度を検知可能な湿度センサー、静止画や動画を撮像可能な画像センサーカメラが挙げられる。
【００３５】
また、検知部６は、自動販売機などの機器の、インターネットなどの通信回線への接続状況も検知することができる。
【００３６】
また、本発明の監視器３は、判定部７を有する。
ここで、判定部７は、検知部６が自動販売機２の作動状態を検知して得られた検知結果情報と、正常作動状態情報データベース５が記録した正常作動状態情報とを対比して、検知結果情報が正常作動状態情報と異なるか否かを判定可能である。
【００３７】
また、本発明の監視器３は、判定部７が、検知結果情報は正常作動状態情報と異なると判定した場合、検知結果情報が正常作動状態情報と異なることを示す異常情報を、検知結果情報と共にインターネット２３を介して通知可能な通知部８を有する。
【００３８】
具体的な通知方法としては、例えば電子メールや、ソーシャル・ネットワーキング・サービス（ＳＮＳ）を利用した通知方法が挙げられる。
【００３９】
また、検知結果情報としては、具体的には例えば、検知部が温度センサーであれば温度情報であり、画像センサーカメラであれば撮像された画像情報である。
【００４０】
また、本発明で言う「検知結果情報が正常作動状態情報と異なる」とは、例えば検知結果情報が温度情報であって温度情報が８０℃であり、温度情報に対応する正常作動状態情報が４０〜５０℃であるというように、検知結果情報と正常作動状態情報との間に一致点がないことを意味する。
【００４１】
また、サーバ４は、通知部８が通知した異常情報および検知結果情報を受信可能な受信部９を有する。
また、サーバ４は、受信部９が受信した異常情報および検知結果情報を記録可能な自動販売機情報データベース１０を有する。
ここで、自動販売機情報データベースは、機器情報記録部の一例である。
【００４２】
また、本発明の監視器３は、電源制御部１１を有する。
ここで、電源制御部１１は、判定部７が、検知された温度に関する情報は正常作動状態情報と異なると判定した場合、自動販売機２の電源を切る制御が可能である。
【００４３】
また、サーバ４は、自動販売機２を操作するための信号である操作信号を自動販売機２へ、インターネット２３を介して送信可能な操作信号送信部１２を有する。
また、自動販売機２は、サーバ４から送信された操作信号に基づいて自動販売機２を操作する制御が可能な操作制御部１３を有する。
【００４４】
また、サーバ４は、自動販売機２が販売する商品の画像を記録可能な商品画像データベース１４を有する。
ここで、商品画像データベースは商品画像記録部の一例である。
また、サーバ４は、商品画像データベース１４が記録した商品画像を、インターネット２３を介して自動販売機２へ送信可能な商品画像送信部１５を有する。
【００４５】
また、自動販売機２は、情報を表示可能であり、かつ、着脱可能な液晶パネル１６を有する。ここで、液晶パネルは表示部の一例である。
【００４６】
また、自動販売機２は、商品画像制御部１７を有する。
ここで、商品画像制御部１７は、所定の端末が自動販売機２から所定の範囲内に位置した場合、サーバ４に商品画像の送信を要求可能であり、かつ、この要求に従ってサーバ４から送信された新たな商品画像を液晶パネル１６に表示させる制御が可能である。
【００４７】
なお、所定の端末を携帯する者、例えば商品の補充や入れ替えの作業を行う作業者は、端末を操作して、サーバ４に商品画像の送信を要求する設定および要求しない設定の間で切替えを行うことができる。
【００４８】
また、サーバ４は、広告情報を記録可能な広告情報データベース１８を有する。
ここで、広告情報データベースは広告情報記録部の一例である。
また、サーバ４は、広告情報データベース１８が記録した広告情報を、インターネット２３を介して自動販売機２へ送信可能な広告情報送信部１９を有する。
【００４９】
また、自動販売機２は、広告情報制御部２０を有する。
ここで、広告情報制御部２０は、所定の期間ごとにサーバ４に広告情報の送信を要求可能であり、かつ、この要求に従ってサーバ４から送信された新たな広告情報を液晶パネル１６に表示させる制御が可能である。
【００５０】
また、広告情報制御部２０は、所定の端末が自動販売機２から所定の範囲内に位置した場合、サーバ４に広告情報の送信を要求可能であり、かつ、この要求に従ってサーバ４から送信された新たな広告情報を液晶パネル１６に表示させる制御も可能である。
なお、所定の端末を携帯する者、例えば商品の補充や入れ替えの作業を行う作業者は、端末を操作して、サーバ４に広告情報の送信を要求する設定および要求しない設定の間で切替えを行うことができる。
【００５１】
また、広告情報制御部２０は、サーバ４から送信された新たな広告情報を記録しておき、新たな広告情報を液晶パネル１６に表示させる時期を決定し（予約しておき）、決定された時期が到来すると液晶パネル１６に表示させる制御も可能である。
【００５２】
すなわち、広告情報制御部２０は、新たな広告情報を記録した時から例えば３日後や１０日後に新たな広告情報を液晶パネル１６に表示させることを決定し、決定された時期が到来すると液晶パネル１６に表示させる。
【００５３】
また、サーバ４は、商品画像の背景に表示される画像である背景画像を記録可能な背景画像データベース２１を有する。
また、サーバ４は、背景画像データベース２１が記録した背景画像を、インターネット２３を介して自動販売機２へ送信可能な背景画像送信部２２を有する。
【００５４】
また、商品画像制御部１７は、所定の端末が自動販売機２から所定の範囲内に位置した場合、サーバ４に背景画像の送信も要求可能であり、かつ、この要求に従ってサーバ４から送信された新たな背景画像を液晶パネル１６に表示させる制御も可能である。
【００５５】
また、作業者は、端末を操作して、サーバ４に背景画像の送信を要求する設定または要求しない設定を切替えることができる。
【００５６】
ここで、本発明の監視器は、必ずしも電源制御部を有していなくてもよい。
しかし、監視器が電源制御部を有していれば、自動販売機すなわち機器の管理者が操作しなくても機器の温度を低下させることができ、機器の故障を抑制しやすいので好ましい。
【００５７】
また、サーバは、必ずしも操作信号送信部を有していなくてもよく、また、自動販売機すなわち機器は、必ずしも操作制御部を有していなくてもよい。
しかし、サーバが操作信号送信部を有し、機器が操作制御部を有していれば、機器の管理者は、機器の遠隔操作を行うことができるので好ましい。
【００５８】
また、サーバは、必ずしも商品画像データベースすなわち商品画像記録部と、商品画像送信部を有していなくてもよい。
しかし、サーバが商品画像記録部と商品画像送信部を有していれば、自動販売機に商品を補充したり、商品を入れ替えたりするために、作業者が所定の端末を携帯して自動販売機に近づくだけで、商品画像を更新することができるので好ましい。
【００５９】
また、サーバは、必ずしも広告情報データベースすなわち広告情報記録部と、広告情報送信部を有していなくてもよく、また、自動販売機すなわち機器は、必ずしも広告情報制御部を有していなくてもよい。
【００６０】
しかし、サーバが広告情報記録部と、広告情報送信部を有し、機器が広告情報制御部を有していれば、作業者による商品の補充作業や入れ替え作業に関係なく、季節に合わせた広告を表示することができるので好ましい。
【００６１】
図２は、本発明を適用した自動販売機監視システムおよび本発明を適用した監視器で監視される自動販売機の一例を示す概略図である。また、図３は、図２で示された自動販売機の外扉を開いた状態の一例を示す概略図である。
【００６２】
図２に示すように、本発明の自動販売機監視システムおよび本発明の監視器で監視される自動販売機２は、一般の自動販売機の背面パネルが除去され、代わりに液晶パネル１６が取付けられたものである。
すなわち、背面パネルに取付けられている商品見本も背面パネルと一緒に除去されている。
【００６３】
また、図２に示すように液晶表示パネル１６は商品画像１６Ａを表示可能である。また、自動販売機２は、商品画像１６Ａに対応して、上段、中段および下段の三段に配置された商品選択スイッチ３２を有する。
【００６４】
また、液晶パネル１６の領域のうち、商品画像１６Ａが表示されていない領域であり、かつ、商品選択スイッチ３２と重ならない領域に広告情報表示領域２４が設けられている。
【００６５】
また、監視対象である自動販売機２は、一般の自動販売機の背面パネルを液晶パネルに取替えたものであるので、一般の自動販売機と同様に、前方に開口部が形成された本体２Ａと、この開口部を開閉する外扉２Ｂとを有する。
【００６６】
また、監視対象である自動販売機２にも、商品見本展示室３３が形成されている。
【００６７】
また、外扉２Ｂの前面上部には、透明な前面パネル２５が取付けられている。
また、監視対象である自動販売機２は、液晶パネル１６の表示状況を撮像するための画像センサーカメラ４０を有する。
ここで、画像センサーカメラ４０は、本発明の監視器３の検知部６の一つである。
【００６８】
また、監視対象である自動販売機２の外扉２Ｂの前面中段部には、紙幣を挿入および排出するための紙幣入出口２６が設けられている。
また、監視対象である自動販売機２の外扉２Ｂの前面中段部には、硬貨を投入するための硬貨投入口２７が設けられている。
【００６９】
また、監視対象である自動販売機２の外扉２Ｂの前面中段部には、紙幣または硬貨を返却するための返却レバー２８が設けられている。
また、監視対象である自動販売機２の外扉２Ｂの前面中段部には、釣銭切れ表示や挿入された紙幣または投入された硬貨の金額の表示を行う金額表示部２９が設けられている。
【００７０】
また、監視対象である自動販売機２の外扉２Ｂの前面中段部には、広告を掲示するための広告掲示部３０が設けられている。
また、監視対象である自動販売機２の外扉２Ｂの前面中段部には、外扉２Ａの開閉をロックするための外扉ロック３１が設けられている。
【００７１】
また、監視対象である自動販売機２の外扉２Ｂの前面下部には、硬貨を返却するための硬貨返却口４１が設けられている。
また、監視対象である自動販売機２の外扉２Ａの前面下部には、商品を取出すための商品取出口４２が設けられている。
【００７２】
また、図３に示すように、液晶パネル１６の背面すなわち、画像などが表示されない面には、本発明の監視器３が、液晶パネル１６と電気的に接続された状態で取付けられている。
【００７３】
また、本発明の監視器３は検知部６を有するが、検知部６は単数でも複数でもどちらでも可能である。
例えば、検知部６が複数ある場合、監視対象である自動販売機２の様々な箇所例えば、液晶パネル、本体内に検知部６を取付け、様々な箇所の検知結果情報を得ることができる。
【００７４】
また、検知部６が複数ある場合、判定部７と検知部６は、例えば無線通信で通信可能とすることができる。
【００７５】
また、液晶パネル１６の背面には、液晶パネル制御ユニット３６が取付けられている。
ここで、液晶パネル制御ユニット３６に、商品画像制御部１７と広告情報制御部２０が設けられている。
【００７６】
ここで、液晶パネル１６の裏面には、本発明の監視器３や液晶パネル制御ユニット３６などが取付けられるので、本発明の監視器３や液晶パネル制御ユニット３６などが商品見本展示室３３内に収まるように、液晶パネル１６は前面パネル２５に近づけて取付けられている。
【００７７】
また、監視対象である自動販売機２の外扉２Ｂの背面には、自動販売機２の動作を制御するためのマスターボックス３４が取付けられている。
ここで、操作制御部１３は、マスターボックス３４に設けられている。
【００７８】
また、監視対象である自動販売機２の外扉２Ｂの背面には、貨幣処理ユニット３５が取付けられている。
ここで、貨幣処理ユニット３５は、紙幣入出口２６および硬貨投入口２７から投入される貨幣を貯留すると共に、硬貨返却口４１および紙幣入出口２６から貨幣を返却する処理を行う。
【００７９】
また、監視対象である自動販売機２は、本体２Ａと外扉２Ｂとの間に配置された、本体２Ａの開口部の上部を開閉する上部内扉３７と、本体２Ａの開口部の下部を開閉する下部内扉３８を有する。
【００８０】
また、本体２Ａ内には、商品を収容するための空間が形成されている。
また、本体２Ａ内の下部には、収容された商品を冷却するための、図示していない冷却装置が配置されている。
また、図示していない冷却装置は、圧縮された冷媒を液化させる凝縮器３９を有する。
【００８１】
次に、本発明の自動販売機監視システムを利用した自動販売機の監視の流れの一例を説明する。
自動販売機の管理者は、本発明の監視器３を、監視対象としたい自動販売機２に取付ける。
また、管理者は、本発明の自動販売機監視システム１に対応した専用のコンピュータプログラムを、所有するコンピュータすなわちサーバ４にインストールする。
【００８２】
また、本発明の監視器３の検知部６は温度センサー、電圧センサーおよび画像センサーカメラであり、液晶パネル１６の温度、液晶パネル１６の電圧および液晶パネル１６の表示状況の画像を検知する。
【００８３】
そして、本発明の監視器３の判定部７は、検知部６が検知して得られた温度情報、電圧情報および画像情報と、正常作動状態情報データベース５が記録した、液晶パネル１６の温度情報、電圧情報および画像情報に対応する正常作動状態情報とを対比して、温度情報、電圧情報および画像情報が、それぞれに対応する正常作動状態情報と異なるか否かを判定する。
【００８４】
また、判定部７が、検知して得られた温度情報、電圧情報および画像情報のうち、１つでもそれぞれに対応する正常作動状態情報と異なると判定した場合、例えば温度情報が、対応する正常作動状態情報と異なると判定した場合、通知部８は、異なることを示す異常情報を、検知して得られた温度情報と共にインターネット２３を介してサーバ４へ通知する。
【００８５】
そして、サーバ４の受信部９は、通知部８が通知した、異常情報および温度情報を受信する。
また、サーバ４の自動販売機情報データベース１０は、受信部９が受信した異常情報および温度情報を記録する。
【００８６】
自動販売機２の管理者は、自動販売機２から離れた場所にいながら、サーバ４に接続された表示装置の画面を見て、監視対象の自動販売機２の状況を知ることができる。
また、サーバ４から異常情報および温度情報を、管理者の携帯端末へ転送するようにすることもできる。
【００８７】
また、本発明の監視器３の電源制御部１１は、判定部７が、検知して得られた温度情報は、対応する正常作動状態情報と異なると判定した場合、例えば、温度情報に対応する正常作動状態情報が４０〜５０℃であるのに対し、検知して得られた温度情報が９０℃というように顕著に異なる場合、自動販売機２の電源を切る制御を行う。
【００８８】
また、検知して得られた温度情報が、液晶パネル１６の温度情報であれば、自動販売機２の一部である液晶パネル１６の電源を切る制御を行い、検知して得られた温度情報が自動販売機２の商品を格納している本体２Ａ内の温度であれば、自動販売機２の本体２Ａの電源を切る制御を行うようにすることもできる。
【００８９】
また、自動販売機２の管理者は、サーバ４に接続された表示装置の画面を見ながら、例えば液晶パネル１６の輝度を操作するために、操作信号送信部１２から操作信号を自動販売機２へ送信する。
また、自動販売機２の操作制御部１３は、サーバ４から送信された操作信号に基づいて自動販売機２の液晶パネル１６の輝度を操作する制御を行う。
【００９０】
また、所定の端末を携帯した、商品の補充や入れ替えの作業を行う作業者が、自動販売機２から所定の範囲内に位置すると、自動販売機２の商品画像制御部１７が、サーバ４に商品画像の送信を要求し、この要求に従ってサーバ４の商品画像送信部１５から自動販売機２へ送信された新たな商品画像を液晶パネル１６に表示させる制御を行う。
【００９１】
ここで、単に商品の補充だけであって商品画像を更新させる必要がなければ、作業者は端末を操作して、サーバ４に商品画像の送信を要求しない設定にしておく。
また、背景画像を更新させる必要もなければ、作業者は端末を操作して、サーバ４に背景画像の送信を要求しない設定にしておく。
【００９２】
また、自動販売機２の広告情報制御部２０は、所定の期間ごとにサーバ４に広告情報の送信を要求可能であり、かつ、この要求に従ってサーバ４の広告情報送信部１９から送信された新たな広告情報を液晶パネル１６の広告情報表示領域２４に表示させる制御を行う。
【００９３】
また、自動販売機２の管理者は、サーバ４の、商品画像送信部１５、広告情報送信部１９および背景画像送信部２２から、新たな商品画像、新たな広告情報および新たな背景画像を自動販売機２へ送信することもできる。
また、自動販売機２の管理者は、送信した新たな商品画像、新たな広告情報および新たな背景画像を液晶パネル１６に表示させるために、操作信号送信部１２から操作信号を自動販売機２へ送信することもできる。
【００９４】
また、自動販売機２の操作制御部１３は、サーバ４から送信された操作信号に基づいて、新たな商品画像、新たな広告情報および新たな背景画像を液晶パネル１６に表示させる制御を行うこともできる。
このようにして、自動販売機２の管理者は、自動販売機２から離れた場所に居ながら、希望するときに商品画像、広告情報および背景画像を更新することができる。
【００９５】
以上のように、本発明の機器監視システムは、機器の作動状態を検知可能な検知部を有する本発明の監視器を備えているので、作動中の機器の実際の情報を得ることができる。
【００９６】
また、本発明の機器監視システムは、検知結果情報と、正常作動状態情報とを対比して、検知結果情報が正常作動状態情報と異なるか否かを判定可能な判定部および、判定部が、検知結果情報は正常作動状態情報と異なると判定した場合、検知結果情報が正常作動状態情報と異なることを示す異常情報を、検知結果情報と共に通信回線を介して通知可能な通知部を有する本発明の監視器を備えているので、機器の管理者は、機器から離れた位置に居ながら作動中の機器が正常か異常かを知ることができる。
【００９７】
従って、本発明の機器監視システムによれば、機器が正常か異常かを判断するために、わざわざ機器の管理者が機器の設置場所に来て機器を確認する必要がなくなるので、機器の監視作業の負担を軽減できる。
【００９８】
また、このような本発明の機器監視システムに組み込まれている本発明の監視器も、当然ながら機器の監視作業の負担を軽減できる。
【００９９】
また、本発明の機器監視システムおよび本発明の監視器によれば、機器の異常がすぐに判るので、例えば機器の表示部の異常による広告情報などの非表示時間を短縮することができ、効果的な広告表示が可能となる。
【符号の説明】
【０１００】
１    自動販売機監視システム
２    自動販売機
２Ａ  本体
２Ｂ  外扉
３    監視器
４    サーバ
５    正常作動状態情報データベース
６    検知部
７    判定部
８    通知部
９    受信部
１０    自動販売機情報データベース
１１    電源制御部
１２    操作信号送信部
１３    操作制御部
１４    商品画像データベース
１５    商品画像送信部
１６    液晶パネル
１６Ａ  商品画像
１７    商品画像制御部
１８    広告情報データベース
１９    広告情報送信部
２０    広告情報制御部
２１    背景画像データベース
２２    背景画像送信部
２３    インターネット
２４    広告情報表示領域
２５    前面パネル
２６    紙幣入出口
２７    硬貨投入口
２８    返却レバー
２９    金額表示部
３０    広告掲示部
３１    外扉ロック
３２    商品選択スイッチ
３３    商品見本展示室
３４    マスターボックス
３５    貨幣処理ユニット
３６    液晶パネル制御ユニット
３７    上部内扉
３８    下部内扉
３９    凝縮器
４０    画像センサーカメラ
４１    硬貨返却口
４２    商品取出口
【図１】
0006630070.tif 000002
【図２】
0006630070.tif 000003
【図３】
0006630070.tif 000004
【図４】
0006630070.tif 000005